(57)【特許請求の範囲】
【請求項１】
放電ランプにランプ電流を供給するインバータ回路と、
前記ランプ電流の定電流制御を行い、前記定電流制御を行うための電流指令値を前記インバータ回路に出力する制御回路と、と備え、
前記制御回路は、前記放電ランプを起動してランプ電圧の上昇変化値が一定値未満になった安定状態で、前記電流指令値をより小さな値に変更して前記定電流制御を行う放電ランプ点灯制御装置。
【請求項２】
前記制御回路は、前記放電ランプを起動して前記ランプ電圧の上昇変化値が前記一定値未満になるまでの期間において、出力電力が所定の電力リミッタ値を超えた時には前記出力電力が定電力となる定電力制御を行い、前記定電力制御を行うための電力指令値を前記インバータ回路に出力し、
前記制御回路は、前記安定状態において、前記出力電力が前記電力リミッタ値を超えた時に前記電流指令値をより小さな値に変更して前記定電流制御を行う、請求項１記載の放電ランプ点灯制御装置。
【請求項３】
前記制御回路は、前記放電ランプを起動してランプ電圧が安定するまでに次の制御を以下の順に行う、請求項２記載の放電ランプ点灯制御装置。
（１）前記放電ランプの起動後の第１状態では所定の第１電流指令値により前記定電流制御を行う。
（２）前記第１状態後、前記ランプ電圧の上昇により前記出力電力が前記電力リミッタ値を超える第２状態になった段階で前記定電力制御を行う。
（３）前記第２状態後、前記ランプ電圧の上昇変化値が一定値未満になる第３状態になった段階で、前記ランプ電圧の上昇により前記出力電力が前記電力リミッタ値を超えた時に前記電流指令値を前記第１電流指令値から、より小さな値の第２電流指令値に変更して前記定電流制御を行う。
（４）前記第３状態で、前記ランプ電圧の上昇により前記出力電力が前記電力リミッタ値を超える毎に前記第２電流指令値をより小さな値に変更して前記定電流制御を行う。
（５）前記第３状態後、前記ランプ電圧が安定する第４状態になると、その直前に変更された前記第２電流指令値により定電流制御を行う。
【請求項４】
前記制御回路は、
前記第３状態において、
前記第１電流指令値から、より小さな値の第２電流指令値へ変更する動作と、前記第２電流指令値をより小さな値へ変更する動作とを所定時間かけて徐々に実行する、請求項３に記載の放電ランプ点灯制御装置。
【請求項５】
インバータ回路により放電ランプにランプ電流を供給するランプ電流供給方法において、
前記放電ランプの起動後の第１状態では所定の第１電流指令値により前記ランプ電流の定電流制御を行い、
前記第１状態後、ランプ電圧の上昇により出力電力が所定の電力リミッタ値を超えた第２状態になった段階で、前記出力電力が定電力となるよう定電力制御を行い、
前記第２状態後、前記ランプ電圧の上昇変化値が一定値未満になる第３状態になった段階で、前記ランプ電圧の上昇により前記出力電力が前記電力リミッタ値を超えたときに前記第１電流指令値より小さな値の第２電流指令値により前記定電流制御を行い、
前記第３状態で、前記ランプ電圧の上昇により前記出力電力が前記電力リミッタ値を超える毎に前記第２電流指令値をより小さな値に変更して前記定電流制御を行い、
前記第３状態後、前記ランプ電圧が安定する第４状態になると、その直前に変更された前記第２電流指令値により定電流制御を行う。
【発明の詳細な説明】
【技術分野】
【０００１】
この発明は、キセノンランプ等の放電ランプの点灯制御装置およびランプ電流供給方法に関する。
【背景技術】
【０００２】
キセノンランプなどの放電ランプは、管内に陽極、陰極の２つの電極があり、起動後にイグナイタなどでブレークダウンをすると電極間にアーク放電が生じる。ランプの明るさはこのアーク放電によるランプ電流の大きさに比例し、ランプ電圧は電極間距離や放電ランプ内のガスの状態により決まる。【０００３】
一方、放電ランプ点灯制御装置では、放電ランプの明るさを一定に保つためランプ電流に対する定電流制御を行う。また、この制御装置では、電源部の出力電力が定格を超えないように電力制限値（リミッタ）を設定して、定電力制御も行うようにしている。【０００４】
例えば、先行技術である特許文献１では、ランプ電圧が低い起動時においては定電流制御を行い、その後ランプ電圧が一定以上に上昇して定格電力に達すると定電力制御を行っている。【０００５】
放電ランプを起動すると、初期状態ではランプ内のガスの状態が不安定であるため、ランプ電圧が上昇し、ランプ電圧の上昇変化値が段々小さくなっていく。その後ランプ内の状態が安定するとランプ電圧も安定する。このとき、ランプ内のガスの状態やアークの状態は安定状態を維持している。しかし、それでもアークの経路が変動するなどの現象が生じ、それに伴ってランプ電圧の僅かな上昇が生じる。ランプを点灯初期から継続して定電流制御した場合、ある程度ランプ電圧が上昇した状態でランプ電圧の上昇値が大きいと、電源部の出力電力が大きくなって定格を超えてしまうことになる。【０００６】
そこで、先行技術に示される点灯制御装置では、放電ランプの起動後にランプ電圧が上昇して定格電力に達すると、制御モードを定電流制御モードから定電力制御モードに切り替える。【０００７】
定電力制御モードでは、電源部の出力電力が定格を超えることがないため、ランプや電源部への負担が過度になることはない。
【先行技術文献】
【特許文献】
【０００８】
【特許文献１】特開２００５−３２７１１号公報
【発明の概要】
【発明が解決しようとする課題】
【０００９】
しかし、上記のような定電流制御と定電力制御を行う従来の放電ランプ点灯制御装置は以下の問題がある。【００１０】
定電力制御モードでは、ランプ内のガスの状態やアークの状態の変化に起因してランプ電圧が上昇すると、制御回路は、電源部の出力電力（ランプ電力）が電力制限値（リミッタ値）を超えないようランプ電流を低下させる。このとき、ランプ電流が低下するため、ランプの明るさもそれに応じて変化する。この変化が周期的あるいは非周期的に生じると、それが所謂フリッカ現象として感じられることになる。ランプ点灯初期からしばらくの間は、ランプ電圧の変化が大きくフリッカ現象の周期が長くこの間の明滅が大きい。そこで、この期間ではある程度ランプ電圧が安定してからランプが使用される。ランプ電圧が安定しても、非常に周期が短いフリッカ現象は発生するが、人の肉眼で感知できなくなるので問題にならない。しかし、肉眼で感知できる程度の周期のフリッカ現象が発生すると、ちらつきとして認識される。このちらつきは、疲れ目の原因となったり、撮影のバックライトとしてランプを使用した際に干渉縞を生じさせる原因となる。【００１１】
以上の現象を図１〜図３を参照して説明すると以下の通りとなる。【００１２】
図１は、放電ランプの構造とアークを示す。図２は、定電流制御と定電力制御を行う放電ランプ点灯制御装置の電圧電流特性図を示す。図３は、ランプ内が安定状態にあるときに定電流制御をした場合のランプ電流変化（右側波形）と、同様な安定状態で定電力制御をした場合のランプ電流変化（左側波形）とを示す。【００１３】
図１において、放電ランプは、管内に陽極（＋）と陰極（−）が対向配置されている。安定状態では、アーク電流はＡの経路で流れているが、ランプ内の状態が変動するとＢの経路に変化することがある。Ｂの経路は電流経路が長くなるためランプ電圧が大きくなる。定電力制御時では、ＡからＢへの変化が数１０ｍｓ間で起きると、以下の説明のようにフリッカ現象が起きる。【００１４】
図２は、ランプの電力制限値（リミッタ）がＷｌｉｍｉｔに設定されている場合の特性を示している。点灯初期は、ランプ電圧が上昇していき、この間、定電流制御が行われる（図２のａ点）。図２のｂ点でランプ電力が定格に達すると、これ以降に電圧が上昇すると定電力制御となる。定電流制御であれば、ランプ内のガスの状態やアークの状態が変動して、ランプ電圧が上昇し動作点が図のｃ点に遷移しようとする。しかし、定電力制御ではｃ点は電力制限値（リミッタ）を超えることになるので、実際は動作点は定電力特性曲線上のｄ点となる。【００１５】
このような現象が肉眼で検知できる数１０ｍｓ毎に起きると、ランプ電流が周期的に変動するため、これがフリッカ現象として肉眼で観測されることなる。このようなフリッカ現象は、ランプ電圧の安定状態初期に観測されることが多い。【００１６】
図３は、ランプ安定状態で時間軸レンジを拡大したときの電圧・電流変化を示している。図の上側は電圧変化、下側は電流変化を示す。また、図の左側はランプ安定状態で定電力制御をした場合の電圧・電流変化を示している（直流成分を除く）。同図左側の定電力制御時では、Ｐ１でアーク電流経路がＡ→Ｂとなり（図１参照）、ランプ電圧上昇によりランプ電流が低下し（図２のｄ点）、それによりフリッカ現象が観測される。一方、ランプ安定状態で定電力制御ではなく定電流制御を継続した場合の電圧・電流変化は図３の右側に示される。Ｐ２でアーク電流経路がＡ→Ｂとなり（図１参照）、ランプ電圧が上昇しても、電流が一定になるよう制御されるため、電流変化はない。このため、フリッカ現象は生じない。このように、安定状態となっても定電流制御であれば、フリッカ現象を防ぐことが出来る。しかし、上述のように定電流制御では電源の出力が大きくなり、ランプへの負担も大きくなり、出力が定格を超えるとランプを破損すると言った不具合がある。【００１７】
この発明の目的は、電源の定格出力を大きくすることなく、ランプが安定状態のときも定電流制御を可能にする放電ランプ点灯制御装置を提供することにある。
【課題を解決するための手段】
【００１８】
この発明の放電ランプ点灯制御装置は、
放電ランプにランプ電流を供給するインバータ回路と、
前記ランプ電流の定電流制御を行い、前記定電流制御を行うための電流指令値を前記インバータ回路に出力する制御回路と、と備え、
前記制御回路は、前記放電ランプを起動して前記ランプ電圧の上昇変化値が一定値未満になった安定状態で、前記電流指令値をより小さな値に変更して前記定電流制御を行う。【００１９】
前記制御回路は、放電ランプが安定状態になると電流指令値を下げて定電流制御が可能となるように制御する。これにより、安定状態においてランプ電圧が上昇したときに、ランプ電流が低下することを防止できる。【００２０】
好ましい実施形態では、前記制御回路は、出力電力が所定の電力リミッタ値を超えた時には前記出力電力が定電力となる定電力制御を行い、前記定電力制御を行うための電力指令値を前記インバータ回路に出力する。【００２１】
この発明のさらに好ましい別の実施形態では、前記制御回路は、前記放電ランプを起動してランプ電圧が安定するまでに次の制御を以下の順に行う。【００２２】
（１）前記放電ランプの起動後の第１状態では所定の第１電流指令値により前記定電流制御を行う。【００２３】
（２）前記第１状態後、前記ランプ電圧の上昇により前記出力電力が前記電力リミッタ値を超える第２状態になった段階で前記定電力制御を行う。【００２４】
（３）前記第２状態後、前記ランプ電圧の上昇変化値が一定値未満になる第３状態になった段階で、前記ランプ電圧の上昇により前記出力電力が前記電力リミッタ値を超えた時に前記第１電流指令値より小さな値の第２電流指令値により前記定電流制御を行う。【００２５】
（４）前記第３状態で、前記ランプ電圧の上昇により前記出力電力が前記電力リミッタ値を超える毎に前記第２電流指令値をより小さな値に変更して前記定電流制御を行う。【００２６】
（５）前記第３状態後、前記ランプ電圧が安定する第４状態になると、その直前に変更された前記第２電流指令値により定電流制御を行う。【００２７】
放電ランプを起動すると、ランプ電圧が上昇しはじめ、ユーザにより予め設定されている所定の第１電流指令値に基づく定電流制御が行われる（第１状態）。その後、出力電力が電力リミッタ値に達すると、定電力制御を行う（第２状態）。その後、定電力制御中に、ランプ電圧の上昇変化値が一定値未満のランプ安定状態となる（第３状態）。このランプ安定状態の初期においては、図１に示すようなアーク電流経路の変動によりランプ電圧がΔＶだけ上昇して前記出力電力が前記電力リミッタ値を超えた時に、電流指令値をそれまでの第１電流指令値から、所定値だけ小さい第２電流指令値に変更する。そして、この第２電流指令値で定電流制御を行う。その後も、ランプ電圧がΔＶだけ上昇して前記出力電力が前記電力リミッタ値を超える毎に、第２電流指令値をより小さな値に変更していく。第３状態後、ランプ電圧が安定する第４状態になると、その直前に変更された第２電流指令値により定電流制御を行う。【００２８】
以上の制御を行うことで、第３状態では、ランプ電圧上昇に応じて第２電流指令値を少しずつ小さくしていき、継続して定電流制御を行う。また、第４状態でも定電流制御を行う。これにより、第３状態以降は従来のような定電力制御ではなく定電流制御が行われることとなる。そして、アークの揺れによってランプ電圧が変動してもフリッカ現象が発生しない。【００２９】
また、第３状態以降、電流指令値を下げるため、電源容量を大きくしなくても良い。また、ランプへの供給電力も大きくなることはないため、ランプ寿命を低下させることもない。【００３０】
より好ましい実施形態では、制御回路は、前記第３状態において、電流指令値の変更を所定時間かけて徐々に実行する。【００３１】
電流指令値の変更を所定時間かけて徐々に行うことにより、指令値の変化が急激なものとならないから、フリッカの発生がより抑制される。
【発明の効果】
【００３２】
放電ランプが安定状態となった以降も、定電流制御が維持されるためフリッカが発生するのを防ぐことが出来る。また、電源容量を大きくしなくても良いため電源部の大型化を防止でき、また、ランプ寿命を低下させることがない。
【図面の簡単な説明】
【００３３】
【図１】放電ランプの構造とアークを示す図
【図２】定電流制御と定電力制御を行う放電ランプ点灯制御装置の電圧電流特性図
【図３】ランプ内が安定状態にあるときに定電流制御をした場合のランプ電流変化（右側波形）と、同様な安定状態で定電力制御をした場合のランプ電流変化（左側波形）とを示す図
【図４】放電ランプ点灯制御装置のブロック図
【図５】メイン制御回路のブロック図
【図６】従来の放電ランプ点灯制御装置においてランプ電圧等の時間経過を示す図
【図７】本実施形態の放電ランプ点灯制御装置においてランプ電圧等の時間経過を示す図
【図８】図６及び図７の一部拡大図
【図９】放電ランプ点灯制御装置の動作を示すフローチャート
【図１０】放電ランプ点灯制御装置の動作を示すフローチャート
【図１１】放電ランプ点灯制御装置の動作を示すフローチャート
【図１２】定義図
【発明を実施するための形態】
【００３４】
図４は、この発明の実施形態の放電ランプ点灯制御装置のブロック図である。
【００３５】
放電ランプ点灯制御装置は、商用電源入力端子１に入力される交流電圧を整流する第１の整流回路２と、第１の整流回路２の整流出力の電流波形を変えることで、その力率を改善するＰＦＣ回路（力率改善回路）３と、ＰＦＣ回路３の制御を行うＰＦＣ制御回路４と、スイッチング回路５と、スイッチング回路５の出力の電圧変換を行う変圧器６と、変圧出力を整流する第２の整流回路７と、第２の整流回路７の整流出力に起動高圧パルスを重畳させる高圧トランス８及び始動回路９と、出力電流（ランプ電流）を検出するランプ電流検出器１０と、ランプ電流及びランプ電圧に基づいて定電流制御や定電力制御を行うスイッチング回路５に対し、制御用ＰＷＭ信号を供給するメイン制御回路１１とを備える。キセノンランプなどの放電ランプ１２は、高圧トランス８の出力側に接続される。
【００３６】
図５は前記メイン制御回路１１のブロック図である。
【００３７】
メイン制御回路１１は、検出されたランプ電流Ｉと電流指令値との差分、及びランプ電力と電力指令値との差分をＰＷＭ発生回路１１０内のエラーアンプに入力する。ＰＷＭ発生回路１１０は、ランプ電流Ｉと電流指令値との差分がゼロとなるように定電流制御を行う。また、ＰＷＭ発生回路１１０は、ランプ電力が電力リミッタ値、すなわち電力指令値を超えようとした場合に、ランプ電力と電力指令値との差分がゼロとなるように出力電流を減少させる定電力制御を行う。
【００３８】
定電流制御と定電力制御では、いずれもＰＷＭ制御を行う。メイン制御回路１１は、後述のフローチャートに示す制御を行う制御部１１１も備えている。なお、メイン制御回路１１に代えて、演算処理や、ランプ電流とランプ電圧の変換テーブルを用いてＰＷＭ制御を行うようにしても良い。
【００３９】
本実施形態では、放電ランプ１２の起動後に第１電流指令値により定電流制御を行い（第１状態）、ランプ電圧Ｖが上昇して、第１電流指令値とランプ電圧Ｖとから算出した出力電力が所定の電力リミッタ値、例えば定格電力を超えると、定電力制御に移行する（第２状態）。定電力制御において、ランプ電圧Ｖの上昇変化値が徐々に小さくなり、ランプ電圧Ｖが安定するランプ安定状態に移行すると、ランプ電圧の変動を監視する（第３状態）。第３状態に入ると、ランプ安定状態の初期には、ランプ電圧Ｖが微増する期間が存在する。このとき、ランプ電圧が上昇して前記出力電力が前記電力リミッタ値を超えた時に電流指令値を第１電流指令値から所定値だけ小さい第２電流指令値に変更する。この第２電流指令値により定電流制御を行う。また、その後も、ランプ電圧が上昇して前記出力電力が前記電力リミッタ値を超える毎に第２電流指令値をより小さな値に変更し、変更後の第２電流指令値により定電流制御を行う。
【００４０】
第３状態後、ランプ電圧が完全に安定する第４状態になると、その直前に変更された第２電流指令値により定電流制御を行う。
【００４１】
これにより、第３状態になってからは、それ以降、最後に設定された第２電流指令値による定電流制御が維持される。
【００４２】
本実施形態の放電ランプ点灯制御装置と従来の放電ランプ点灯制御装置の動作を、図６、図７を参照して説明する。図６は、従来の放電ランプ点灯制御装置においてランプ電圧等の時間経過を示している。図７は、本実施形態の放電ランプ点灯制御装置においてランプ電圧等の時間経過を示している。図８は、図６、図７の一部の時間軸と電圧軸の拡大図を示している。
【００４３】
図６において、上から、ランプ電圧、ランプ電流、ランプ電力の時間変化を示す。なお、従来の放電ランプ点灯制御装置では、第２電流指令値を使用しない。
【００４４】
従来の放電ランプ点灯制御装置では、図６に示すように以下の動作となる。
【００４５】
ｔ０で放電ランプ１２が起動されると、予め設定された定格電流に対応する第１電流指令値により定電流制御が行われる（第１状態）。予め設定された定格電流で起動した点灯初期Ａから、ランプ電圧が上昇していく。定格電力Ｗｌｉｍｉｔに達して定電力リミッタが働くｔ１になると、定電流制御から一定の電力指令値による定電力制御に切り替わる。
【００４６】
ｔ１からは、定電力制御が行われる。つまり、ランプ電圧の上昇に応じてランプ電流が減少するように制御される（第２状態）。
【００４７】
ｔ２でランプ電圧の上昇変化値が一定値未満になる第３状態に移っても、定電力制御が行われる。ランプ電圧が完全に安定するｔ３以降の第４状態になっても、定電力制御が行われる。以上の制御の動作特性図は図２に示した通りであり、ｔ３以降はランプ電圧の変動に応じてランプ電流も変動し続ける。
【００４８】
本実施形態の放電ランプ点灯制御装置では、図７に示すように以下の動作となる。
【００４９】
図７において、ｔ０で放電ランプ１２が起動された後、ｔ１までの第１状態と、その後の第２状態までは、図６と同じである。すなわち、ｔ０で放電ランプ１２が起動されると、予め設定された定格電流に対応する第１電流指令値により定電流制御が行われる（第１状態）。予め設定された定格電流で起動した点灯初期Ａから、ランプ電圧が上昇していく。定電力リミッタが働くｔ１になると、定電流制御から一定の電力指令値による定電力制御に切り替わる。
【００５０】
ｔ１からは、定電力制御が行われる。  図６と同様ランプ電圧の上昇に応じてランプ電流が減少するように制御される（第２状態）。
【００５１】
ｔ０―ｔ２までは、図６の経過と同じである。
【００５２】
ｔ２でランプ電圧上昇変化値が一定値未満になるランプ安定状態の初期である第３状態になった段階で、ランプ電圧の上昇により出力電力が所定の電力リミッタ値を超えた時に第１電流指令値を、より小さな値の第２電流指令値に変更する。この第２電流指令値により定電流制御を行う。さらに、ランプ電圧の上昇により出力電力が所定の電力リミッタ値を超える毎に前記第２電流指令値をより小さな値に変更し、この第２電流指令値により定電流制御を行う。
【００５３】
第３状態の拡大図を示す図８において、実線は本実施形態の変化を示し、破線は図６の従来の放電ランプ点灯制御装置の変化を示す。
【００５４】
図８に示すように、従来の放電ランプ点灯制御装置では、ｔ２−ｔ３の第３状態において、ランプ電圧の上昇に従い定電力制御によってランプ電流が破線に示すように変動する。本実施形態の放電ランプ点灯制御装置では、ｔ２−ｔ３の第３状態において、ランプ電圧の上昇に従い、実線に示すように電流指令値が変更されつつ定電流制御される。すなわち、ランプ電圧の上昇により出力電力が所定の電力リミッタ値を超えた時に第１電流指令値を、より小さな値の第２電流指令値に変更する。この第２電流指令値により定電流制御を行う。さらに、ランプ電圧の上昇により出力電力が所定の電力リミッタ値を超える毎に前記第２電流指令値をより小さな値に変更し、この第２電流指令値により定電流制御を行う。図８の一番下の経過図で示されるように、第２電流指令値はランプ電圧の上昇にしたがい、より小さな値に階段状に変更されていく。また、その上のランプ電力図（経過図）に示されるように、ランプ電力は常に定格電力未満となっているため、定電力制御が行われない。このような制御により、ｔ２−ｔ３の第３状態の期間では、階段状の各区間でランプ電流の定電流化が行われるため、フリッカの発生を防止できる。
【００５５】
また、ｔ３以降の第４状態では、ランプ電圧が完全に安定状態となるため、ｔ３直前に変更された第２電流指令値により定電流制御が行われる。このｔ３以降でも、定電流制御が行われているためフリッカの発生はない。
【００５６】
以上のように、本実施形態の放電ランプ点灯制御装置では、ランプ電圧の上昇変化が緩やかになるｔ３からランプ電圧が安定するｔ４以降の期間では、ランプ電圧の上昇に応じて定電力制御が行われないよう電流指令値を下げながら定電流制御を行う。
【００５７】
このため、図３の右側に示すようにフリッカの発生を防止できる。
【００５８】
次に上記の制御内容について、図９〜図１２を参照して具体的に説明する。
【００５９】
図９〜図１１は、制御部１１１（図５参照）による制御動作を示すフローチャートである。図１２は、フローチャートの定義表である。
【００６０】
図９は、放電ランプ１２の起動タイミングｔ０から第３状態が始まるｔ２（図７、図８参照）までの制御動作（パターン１）を示す。図１０は、ｔ２から第ｔ３までの制御動作（パターン２）を示す。図１１は、ｔ３からの制御動作（パターン３）を示す。
【００６１】
放電ランプ１２が起動されると、図９のＳＴ１で、ユーザにより、定電力リミッタＷｌｉｍｉｔと、第１電流指令値Ｉｒｅｆ１が設定される。その後、第１状態となって第１電流指令値Ｉｒｅｆ１により定電流制御が行われる（ＳＴ２）。その後、出力電力が定電力リミッタＷｌｉｍｉｔを超えると（Ｉｒｅｆ１＞Ｗｌｉｍｉｔ／Ｖｄｅｔ（ｎ））、第２状態となってＳＴ３→ＳＴ４と進み、定電力リミッタＷｌｉｍｉｔにより定電力制御が行われる。
【００６２】
ｔ２となってランプ電圧上昇変化値が一定値未満になる第３状態になると（ＳＴ５），図１０の制御動作（パターン２）に移行する。
【００６３】
ＳＴ１０で、第２電流指令値Ｉｒｅｆ２（ｎ）の初期値を第１電流指令値Ｉｒｅｆ１の値とする。ＳＴ１１で、出力電力が定電力リミッタＷｌｉｍｉｔを超えると（Ｉｒｅｆ２（ｎ）＞Ｗｌｉｍｉｔ／Ｖｄｅｔ（ｎ））、すなわち、ランプ電圧Ｖｄｅｔ（ｎ）が上昇すると、ＳＴ１２以下で第２電流指令値Ｉｒｅｆ２（ｎ）をより小さな値に変更する制御を行う。この補正は、ＳＴ１３、ＳＴ１４で所定時間かけて行う。すなわち、ＳＴ１３で、定電力リミッタＷｌｉｍｉｔの値をその時のランプ電圧Ｖｄｅｔ（ｎ）で除することで、電流値を求め、これを、第２電流指令値Ｉｒｅｆ２（ｎ）として更新する。また、次のＳＴ１４で、前回の第２電流指令値Ｉｒｅｆ２（ｎ−１）から、今回の第２電流指令値Ｉｒｅｆ２（ｎ）（ＳＴ１２で求めた第２電流指令値Ｉｒｅｆ２（ｎ））まで、補正周期Ｔ２の期間で徐々に変化させる。その後、ＳＴ１５で第２電流指令値Ｉｒｅｆ２（ｎ）による定電流制御を開始する。
【００６４】
以上の制御動作を、ランプ電圧Ｖｄｅｔ（ｎ）の上昇が続くまで（ｔ２−ｔ３の期間）行う。
【００６５】
なお、図１２に示すように、スイッチング回路５のスイッチング周期と、ＳＴ１５での定電流制御周期Ｔ１と、ＳＴ１４での第２電流指令値Ｉｒｅｆ２（ｎ）の補正周期Ｔ２との関係は、以下の通りである。
【００６６】
スイッチング周期＜＜Ｔ１＜＜Ｔ２
ＳＴ１４で、前回の第２電流指令値Ｉｒｅｆ２（ｎ−１）から、今回設定した第２電流指令値Ｉｒｅｆ２（ｎ）まで、補正周期Ｔ２の期間で徐々に変化させる周期は、上記式より、制御周期よりも長い。このため、図８のランプ電流図の実線に示すように、ランプ電圧が徐々に安定していくにつれて、次の第２電流指令値を変更するまでの時間が徐々に長く、且つ第２電流指令値の変化も小さくなることから、第２電流指令値が急激に変動することによるフリッカ発生をより効果的に防ぐことが出来る。
【００６７】
パターン２の制御動作において、ＳＴ１６でランプ電圧Ｖｄｅｔ（ｎ）が安定したことを判定すると、ｔ３以降の第４状態となって、図１１のＳＴ２０以下の制御動作（パターン３）に移行する。
【００６８】
ＳＴ２０では、パターン２において最後に更新された第２電流指令値Ｉｒｅｆ２（ｎ）で定電流制御を行う。この定電流制御を行っている間、万一、ランプ内のガスの状態やアークの状態の変化に起因してランプ電圧が上昇しても、定電流制御されているためにフリッカは生じない。
【００６９】
ＳＴ２１でランプ電源がオフされると制御は終了する。
【００７０】
以上の動作により、ｔ２以降のランプ安定状態でランプ電圧の上昇が生じても、第２電流指令値を減少させることによって定電流制御状態を維持できる。このため、フリッカを防ぐことが出来る。また、ランプ電圧が安定している状態で電源容量を大きくしなくても定電流制御を維持できる。このため電源部の大型化を防止でき、また、放電ランプには、定格以上の電力が供給されないためランプ寿命を低下させることがない。
【００７１】
上記実施形態では、第１状態から第４状態まで詳細な制御を行うが、本発明は、安定状態において、電流指令値をより小さな値に変更して定電流制御を行うものである。したがって、例えば、上記実施形態で示される第３状態における制御だけが行われる他の実施形態も本発明に含まれる。
【００７２】
また、上記実施形態では、第１電流指令値とランプ電圧Ｖとから算出した出力電力が所定の電力リミッタ値を超える例として、例えば出力電力が定格電力を超えるものと示した。しかしながら、所定の電力リミッタ値としては、ユーザが指定する電力であっても良い。
【００７３】
また、図６において、ｔ０で放電ランプ１２が起動されると、予め設定された定格電流に対応する第１電流指令値により定電流制御が行われる（第１状態）が、予め設定された定格電流はユーザが指定する電流であっても良い。
【符号の説明】
【００７４】
１１−メイン制御回路
１１０−エラーアンプ
１１１−制御部
【図１】
0006629997.tif 000002
【図２】
0006629997.tif 000003
【図３】
0006629997.tif 000004
【図４】
0006629997.tif 000005
【図５】
0006629997.tif 000006
【図６】
0006629997.tif 000007
【図７】
0006629997.tif 000008
【図８】
0006629997.tif 000009
【図９】
0006629997.tif 000010
【図１０】
0006629997.tif 000011
【図１１】
0006629997.tif 000012
【図１２】
0006629997.tif 000013